(57)【要約】【目的】  発光ダイオードなどの固体光源を用いる小型化が容易で実用的な照明装置及び投写型映像表示装置をクロスダイクロイックプリズムやクロスダイクロイックミラーを用いずに提供する。【構成】  この投写型映像表示装置１には照明装置２が設けられている。照明装置２は３つのＬＥＤアレイ３Ｒ，３Ｇ，３Ｂから成る。ＬＥＤアレイは、複数のＬＥＤ（発光ダイオード）が同一平面内に配置されたものである。各ＬＥＤの出射光軸は前記平面（ＬＥＤ配置平面）に対して直交しない。ＬＥＤアレイ３Ｒから出射された赤色光はダイクロイックミラー４Ｇにて反射される。ＬＥＤアレイ３Ｇから出射された緑色光はダイクロイックミラー４Ｇを透過する。緑色光と赤色光はダイクロイックミラー４Ｂに導かれる。ダイクロイックミラー４Ｂは緑色光と赤色光を反射する。ＬＥＤアレイ３Ｂから出射された青色光はダイクロイックミラー４Ｂを透過する。【選択図】        図１
2005283837.tif 000002
【特許請求の範囲】
【請求項１】
色光を出射する複数の固体発光素子を同一平面内に配置し且つ前記平面に対して直交しない方向に出射光軸が設定された斜め光軸固体発光素子アレイと、前記斜め光軸固体発光素子アレイの光出射側で前記平面と平行又は略平行に配置され、前記色光を透過し他の色光は反射するダイクロイックミラーとから成る特定光源を少なくとも一つ備え、
前記他の色光を出射する他の特定光源、前記他の色光を出射する他の斜め光軸固体発光素子アレイ、前記他の色光を出射する複数の固体発光素子から成り出射光軸が固体発光素子の配置平面に対して垂直に設定された垂直光軸固体発光素子アレイ、前記他の色光を出射する複数の固体発光素子から成り出射光軸が不特定である不特定光軸固体発光素子アレイ、又は前記他の色光を出射する単一の固体発光素子のいずれかから出射された光が前記ダイクロイックミラーにて反射されて照明対象物に導かれるように構成されたことを特徴とする照明装置。
【請求項２】
請求項１に記載の照明装置において、前記特定光源又は前記他の特定光源は、前記斜め光軸固体発光素子アレイに代えて、出射光軸がダイクロイックミラーに対して斜めとなる単一の固体発光素子を有して成ることを特徴とする照明装置。
【請求項３】
請求項１又は請求項２に記載の照明装置において、前記特定光源に向けて、前記他の特定光源、前記他の斜め光軸固体発光素子アレイ、前記垂直光軸固体発光素子アレイ、又は単一の固体発光素子から色光が照射されることを特徴とする照明装置。
【請求項４】
請求項３に記載の照明装置において、前記特定光源及び前記他の特定光源として第１の特定光源と第２の特定光源を有し、前記斜め光軸固体発光素子アレイ又は前記垂直光軸固体発光素子アレイから第１の色光が第１の特定光源に向けて出射され、前記第１の特定光源にて第２の色光が出射されると共に前記第１の色光が反射され、これら第１の色光及び第２の色光を受ける位置に設けられた第２の特定光源は、第３の色光を出射すると共に前記第１の色光及び第２の色光を反射することを特徴とする照明装置。
【請求項５】
請求項４に記載の照明装置において、前記斜め光軸固体発光素子アレイと第２の特定光源が略同一平面内に配置されており、前記第１の光源は前記斜め光軸固体発光素子アレイ及び第２の光源に対して斜向かいに配置されていることを特徴とする照明装置。
【請求項６】
請求項４に記載の照明装置において、第１の特定光源及び第２の特定光源が前記垂直光軸固体発光素子アレイに対して４５°傾いて配置されていることを特徴とする照明装置。
【請求項７】
請求項１又は請求項２に記載の照明装置において、柱構造又は筒構造のロッドインテグレータの４側面の全部又は一部に前記特定光源が設けられ、前記特定光源の出射光は前記ロッドインテグレータの側面から斜め入射するように構成されたことを特徴とする照明装置。
【請求項８】
請求項７に記載の照明装置において、前記ロッドインテグレータの光出射面とは反対側に位置する端面が反射面とされ、前記特定光源は前記反射面に向けて光を照射するように配置されていることを特徴とする照明装置。
【請求項９】
請求項７に記載の照明装置において、前記ロッドインテグレータの光出射面とは反対側に位置する光入射端面の側に前記垂直光軸固体発光素子アレイ又は不特定光軸固体発光素子アレイ又は単一の固体発光素子が配置され、前記光入射端面には、前記垂直光軸固体発光素子アレイ又は不特定光軸固体発光素子アレイ又は単一の固体発光素子が出射する色光は透過し他の色光は反射するダイクロイックミラーが配置され、前記特定光源は前記光入射端面に向けて前記他の色光を照射するように配置されていることを特徴とする照明装置。
【請求項１０】
請求項８又は請求項９に記載の照明装置において、前記ロッドインテグレータの光出射面とは反対側に位置する面は、非平坦面形状を有することを特徴とする照明装置。
【請求項１１】
請求項７に記載の照明装置において、前記ロッドインテグレータの光出射面とは反対側に位置する光入射端面に前記垂直光軸固体発光素子アレイ又は不特定光軸固体発光素子アレイ又は単一の固体発光素子が配置され、前記特定光源は前記光出射面寄りに向けて色光を照射するように配置されていることを特徴とする照明装置。
【請求項１２】
請求項１１に記載の照明装置において、互いに異なる色光を出射する二つの特定光源がロッドインテグレータを挟んで向かい合うように配置され、互いの出射光が向かい側の特定光源のダイクロイックミラーに極力照射されないようように構成されたことを特徴とする照明装置。
【請求項１３】
請求項７乃至請求項１２のいずれかに記載の照明装置において、二つの特定光源がロッドインテグレータを挟んで向かい合うように配置され、前記二つの特定光源は波長領域が極力離れた色光を出射することを特徴とする照明装置。
【請求項１４】
請求項７に記載の照明装置において、ロッドインテグレータの側面に設けられた前記特定光源に向けて、前記側面に対向する他の側面に設けられた前記他の特定光源、又は前記他の斜め光軸固体発光素子アレイから色光が照射されることを特徴とする照明装置。
【請求項１５】
請求項１４に記載の照明装置において、二原色を合成した色光を出射する特定光源をロッドインテグレータの対向する二側面の一方の側面に設け、他方の側面には斜め光軸固体発光素子アレイを前記特定光源に対して斜向かいに設け、前記斜め光軸固体発光素子アレイから前記特定光源に向けて他の色光が照射されるように構成されたことを特徴とする照明装置。
【請求項１６】
請求項１５に記載の照明装置において、前記二原色を合成した色光を出射する特定光源と前記斜め光軸固体発光素子アレイとからなる追加セット又は色の組合せが異なる同等の追加セット又はこれら追加セットの一部を、前記ロッドインテグレータの他の二側面を利用して配置したことを特徴とする照明装置。
【請求項１７】
請求項１５又は請求項１６に記載の照明装置において、前記二原色を合成した色光を出射する特定光源と前記斜め光軸固体発光素子アレイとからなる追加セット又は色の組合せが異なる同等の追加セット又はこれら追加セットの一部を、既に使用されている二側面を利用して配置したことを特徴とする照明装置。
【請求項１８】
請求項１４に記載の照明装置において、前記特定光源及び前記他の特定光源として第１の特定光源と第２の特定光源を有し、ロッドインテグレータの対向する二側面の一方の面に前記斜め光軸固体発光素子アレイと前記第２の特定光源が配置され、他方の面に前記第１の特定光源が前記斜め光軸固体発光素子アレイ及び前記第２の特定光源に対して斜向かいとなるように配置されており、前記斜め光軸固体発光素子アレイから第１の色光が前記第１の特定光源に向けて出射され、前記第１の特定光源にて第２の色光が出射されると共に前記第１の色光が反射され、これら第１の色光及び第２の色光を受ける位置に設けられた第２の特定光源は、第３の色光を出射すると共に前記第１の色光及び第２の色光を反射することを特徴とする照明装置。
【請求項１９】
請求項１８に記載の照明装置において、前記斜め光軸固体発光素子アレイと前記第１の特定光源と前記第２の特定光源からなる追加セット又は色の組合せが異なる同等の追加セット又はこれら追加セットの一部を、前記ロッドインテグレータの他の二側面を利用して配置したことを特徴とする照明装置。
【請求項２０】
請求項１８又は請求項１９に記載の照明装置において、前記斜め光軸固体発光素子アレイと前記第１の特定光源と前記第２の特定光源からなる追加セット又は色の組合せが異なる同等の追加セット又はこれら追加セットの一部を、既に使用されている二側面を利用して配置したことを特徴とする照明装置。
【請求項２１】
請求項１４乃至請求項２０のいずれかに記載の照明装置において、前記ロッドインテグレータの光出射面とは反対側に位置する光入射端面に前記垂直光軸固体発光素子アレイ又は不特定光軸固体発光素子アレイ又は単一の固体発光素子が配置されていることを特徴とする照明装置。
【請求項２２】
請求項１４乃至請求項２１のいずれかに記載の照明装置において、ロッドインテグレータの側面に配置される斜め光軸固体発光素子アレイに代えて、出射光軸が前記側面に対して斜めとなる単一の固体発光素子アレイを備えたことを特徴とする照明装置。
【請求項２３】
請求項１乃至請求項２２のいずれかに記載の照明装置において、発熱量が大である二つの特定光源又は一つの特定光源と斜め光軸固体発光素子アレイとが存在する場合に、これらは横並びではなく向かい合って離間配置されることを特徴とする照明装置。
【請求項２４】
請求項１乃至請求項２３のいずれかに記載の照明装置において、少なくとも赤色光と緑色光と青色光が出射されるように構成されたことを特徴とする照明装置。
【請求項２５】
請求項１乃至請求項２３のいずれかに記載の照明装置において、少なくとも赤色光と緑色光と青色光が所定時間ずつ順次に出射されるように構成されたことを特徴とする照明装置。
【請求項２６】
請求項２４に記載の照明装置と、前記照明装置からの光を受ける一つのカラーライトバルブと、前記カラーライトバルブを経ることで得られた映像光を投写する投写レンズと、を備えたことを特徴とする投写型映像表示装置。
【請求項２７】
請求項２５に記載の照明装置と、前記照明装置からの光を受ける一つのライトバルブと、各色光の出射タイミングに同期して前記ライトバルブに各色用の映像信号を供給する手段と、前記ライトバルブを経ることで得られた映像光を投写する投写レンズと、を備えたことを特徴とする投写型映像表示装置。
【発明の詳細な説明】
【技術分野】
【０００１】
この発明は、照明装置及び投写型映像表示装置に関する。
【背景技術】
【０００２】
液晶プロジェクタなどに用いられる照明装置としては、超高圧水銀ランプ、メタルハライドランプ、キセノンランプ等のランプと、その照射光を平行光化するパラボラリフレクタから成るものが一般的である。また、かかる照明装置においては、照射面の光量むらを軽減するために、一対のフライアイレンズによるインテグレート機能( 光学デバイスにより平面内にサンプリング形成された所定形状の複数照明領域を照明対象物上に重畳集光する機能をいう）を持たせたものがある。更に、近年においては、発光ダイオード（ＬＥＤ）を光源として用いることも試みられている（特許文献１，２参照）。また、赤色ＬＥＤからの赤色光、緑色ＬＥＤからの緑色光、及び青色色ＬＥＤからの青色光を、クロスダイクロイックプリズムを用いてそれぞれ所望の方向に導く構成が提案されている（特許文献２参照）。
【特許文献１】特開平１０−１８６５０７号
【特許文献２】特開２００２−１８９２６３号
【発明の開示】
【発明が解決しようとする課題】
【０００３】
発光ダイオード等の固体光源を用いる構成において実用的な照明装置及び投写型映像表示装置を得ることが課題となっている。また、クロスダイクロイックプリズムやクロスダイクロイックミラーは高価であり、また、映像に縦すじが生じるなどの不具合が生じる。
【０００４】
この発明は、上記事情に鑑み、発光ダイオードなどの固体光源を用いる小型化が容易で実用的な照明装置及び投写型映像表示装置をクロスダイクロイックプリズムやクロスダイクロイックミラーを用いずに提供することを目的とする。
【課題を解決するための手段】
【０００５】
この発明の照明装置は、上記の課題を解決するために、色光を出射する複数の固体発光素子を同一平面内に配置し且つ前記平面に対して直交しない方向に出射光軸が設定された斜め光軸固体発光素子アレイと、前記斜め光軸固体発光素子アレイの光出射側で前記平面と平行又は略平行に配置され、前記色光を透過し他の色光は反射するダイクロイックミラーとから成る特定光源を少なくとも一つ備え、前記他の色光を出射する他の特定光源、前記他の色光を出射する他の斜め光軸固体発光素子アレイ、前記他の色光を出射する複数の固体発光素子から成り出射光軸が固体発光素子の配置平面に対して垂直に設定された垂直光軸固体発光素子アレイ、前記他の色光を出射する複数の固体発光素子から成り出射光軸が不特定である不特定光軸固体発光素子アレイ、又は前記他の色光を出射する単一の固体発光素子のいずれかから出射された光が前記ダイクロイックミラーにて反射されて照明対象物に導かれるように構成されたことを特徴とする。また、かかる構成において、前記特定光源又は前記他の特定光源は、前記斜め光軸固体発光素子アレイに代えて、出射光軸がダイクロイックミラーに対して斜めとなる単一の固体発光素子を有して成るものでもよい（以下、これら構成をこの項において第１の構成という）。
【０００６】
上記の構成であれば、クロスダイクロイックミラー或いはクロスダイクロイックプリズムを用いずに各色光を所望の方向に導くことが可能となる。前記特定光源は、斜め光軸固体発光素子アレイから成り、この斜め光軸固体発光素子アレイに対してダイクロイックミラーが平行又は略平行に配置される。従って、特定光源は薄型になり、照明装置の小型化が図れる。出射光軸がダイクロイックミラーに対して斜めとなる単一の固体発光素子アレイを有する場合も同様である。
【０００７】
第１の構成において、前記特定光源に向けて、前記他の特定光源、前記他の斜め光軸固体発光素子アレイ、前記垂直光軸固体発光素子アレイ又は単一の固体発光素子から色光が照射されるようにしてもよい（以下、第２の構成という）。
【０００８】
前記第２の構成において、前記特定光源及び前記他の特定光源として第１の特定光源と第２の特定光源を有し、前記斜め光軸固体発光素子アレイ又は前記垂直光軸固体発光素子アレイ又は単一の固体発光素子から第１の色光が第１の特定光源に向けて出射され、前記第１の特定光源にて第２の色光が出射されると共に前記第１の色光が反射され、これら第１の色光及び第２の色光を受ける位置に設けられた第２の特定光源は、第３の色光を出射すると共に前記第１の色光及び第２の色光を反射するように構成してもよい（以下、第３の構成という）。
【０００９】
前記第３の構成において、前記斜め光軸固体発光素子アレイと第２の特定光源が略同一平面内に配置されており、前記第１の光源は前記斜め光軸固体発光素子アレイ及び第２の光源に対して斜向かいに配置されていてもよい。また、前記第３の構成において、第１の特定光源及び第２の特定光源が前記垂直光軸固体発光素子アレイに対して４５°傾いて配置されていてもよい。
【００１０】
前記第１の構成において、柱構造又は筒構造のロッドインテグレータの４側面の全部又は一部に前記特定光源が設けられ、前記特定光源の出射光は前記ロッドインテグレータの側面から斜め入射するように構成されていてもよい（以下、第４の構成という）。
【００１１】
前記第４の構成において、前記ロッドインテグレータの光出射面とは反対側に位置する端面が反射面とされ、前記特定光源は前記反射面に向けて光を照射するように配置されていてもよい（以下第５の構成という）。
【００１２】
前記第５の構成において、前記ロッドインテグレータの光出射面とは反対側に位置する光入射端面の側に前記垂直光軸固体発光素子アレイ又は不特定光軸固体発光素子アレイ又は単一の固体発光素子が配置され、前記光入射端面には、前記垂直光軸固体発光素子アレイ又は不特定光軸固体発光素子アレイ又は単一の固体発光素子が出射する色光は透過し他の色光は反射するダイクロイックミラーが配置され、前記特定光源は前記光入射端面に向けて前記他の色光を照射するように配置されていてもよい。この構成及び第５の構成において、前記ロッドインテグレータの光出射面とは反対側に位置する面は、非平坦面形状を有していてもよい。
【００１３】
前記第４の構成において、前記ロッドインテグレータの光出射面とは反対側に位置する光入射端面に前記垂直光軸固体発光素子アレイ又は不特定光軸固体発光素子アレイ又は単一の固体発光素子が配置され、前記特定光源は前記光出射面寄りに向けて色光を照射するように配置されていてもよい。この構成において、互いに異なる色光を出射する二つの特定光源がロッドインテグレータを挟んで向かい合うように配置され、互いの出射光が向かい側の特定光源のダイクロイックミラーに極力照射されないようように構成されていてもよい。
【００１４】
前記第４の構成以降の構成において、二つの特定光源がロッドインテグレータを挟んで向かい合うように配置され、前記二つの特定光源は波長領域が極力離れた色光を出射するように構成してもよい。
【００１５】
前記第４の構成において、ロッドインテグレータの側面に設けられた前記特定光源に向けて、前記側面に対向する他の側面に設けられた前記他の特定光源、又は前記他の斜め光軸固体発光素子アレイから色光が照射されるようにしてもよい（以下、第６の構成という）。
【００１６】
前記第６の構成において、二原色を合成した色光を出射する特定光源をロッドインテグレータの対向する二側面の一方の側面に設け、他方の側面には斜め光軸固体発光素子アレイを前記特定光源に対して斜向かいに設け、前記斜め光軸固体発光素子アレイから前記特定光源に向けて他の色光が照射されるように構成されていてもよい（以下、第７の構成という）。
【００１７】
前記第７の構成において、前記二原色を合成した色光を出射する特定光源と前記斜め光軸固体発光素子アレイとからなる追加セット又は色の組合せが異なる同等の追加セット又はこれら追加セットの一部を、前記ロッドインテグレータの他の二側面を利用して配置してもよい。この構成及び第７の構成において、前記二原色を合成した色光を出射する特定光源と前記斜め光軸固体発光素子アレイとからなる追加セット又は色の組合せが異なる同等の追加セット又はこれら追加セットの一部を、既に使用されている二側面を利用して配置してもよい。
【００１８】
前記第６の構成において、前記特定光源及び前記他の特定光源として第１の特定光源と第２の特定光源を有し、ロッドインテグレータの対向する二側面の一方の面に前記斜め光軸固体発光素子アレイと前記第２の特定光源が配置され、他方の面に前記第１の特定光源が前記斜め光軸固体発光素子アレイ及び前記第２の特定光源に対して斜向かいとなるように配置されており、前記斜め光軸固体発光素子アレイから第１の色光が前記第１の特定光源に向けて出射され、前記第１の特定光源にて第２の色光が出射されると共に前記第１の色光が反射され、これら第１の色光及び第２の色光を受ける位置に設けられた第２の特定光源は、第３の色光を出射すると共に前記第１の色光及び第２の色光を反射するようにしてもよい（以下、第８の構成という）。
【００１９】
前記第８の構成において、前記斜め光軸固体発光素子アレイと前記第１の特定光源と前記第２の特定光源からなる追加セット又は色の組合せが異なる同等の追加セット又はこれら追加セットの一部を、前記ロッドインテグレータの他の二側面を利用して配置してもよい。この構成及び第８の構成において、前記斜め光軸固体発光素子アレイと前記第１の特定光源と前記第２の特定光源からなる追加セット又は色の組合せが異なる同等の追加セット又はこれら追加セットの一部を、既に使用されている二側面を利用して配置してもよい。
【００２０】
第６の構成以降の構成において、前記ロッドインテグレータの光出射面とは反対側に位置する光入射端面に前記垂直光軸固体発光素子アレイ又は不特定光軸固体発光素子アレイ又は単一の固体発光素子が配置されていてもよい。
【００２１】
前記ロッドインテグレータの側面に配置される斜め光軸固体発光素子アレイに代えて、出射光軸が前記側面に対して斜めとなる単一の固体発光素子アレイを備えてもよいものである。
【００２２】
これらの構成の照明装置において、発熱量が大である二つの特定光源又は一つの特定光源と斜め光軸固体発光素子アレイが存在する場合に、これらは横並びではなく向かい合って離間配置されるのがよい。
【００２３】
これらの構成の照明装置において、少なくとも赤色光と緑色光と青色光が出射されるように構成されていてもよい。この照明装置を備える投写型映像表示装置は、前記照明装置からの光を受ける一つのカラーライトバルブと、前記カラーライトバルブを経ることで得られた映像光を投写する投写レンズと、を備えたことを特徴とする。
【００２４】
これらの構成の照明装置において、少なくとも赤色光と緑色光と青色光が所定時間ずつ順次に出射されるように構成されていてもよい。この照明装置を備える投写型映像表示装置は、前記照明装置からの光を受ける一つのライトバルブと、各色光の出射タイミングに同期して前記ライトバルブに各色用の映像信号を供給する手段と、前記ライトバルブを経ることで得られた映像光を投写する投写レンズと、を備えたことを特徴とする。
【発明の効果】
【００２５】
この発明によれば、発光ダイオードなどの固体光源を用いる小型化が容易で実用的な照明装置及び投写型映像表示装置をクロスダイクロイックプリズムやクロスダイクロイックミラーを用いずに提供できるという効果を奏する。
【発明を実施するための最良の形態】
【００２６】
以下、この発明の実施例の照明装置及び投写型映像表示装置を図１乃至図１１に基づいて説明していく。
【００２７】
図１は単板式の投写型映像表示装置１の光学系を示した図である。この投写型映像表示装置１には照明装置２が設けられている。照明装置２は３つのＬＥＤアレイ３Ｒ，３Ｇ，３Ｂから成る（以下、個々のＬＥＤアレイを特定しないで示すときには、符号”３”を用いる）。ＬＥＤアレイ３Ｒは赤色光を出射し、ＬＥＤアレイ３Ｇは緑色光を出射し、ＬＥＤアレイ３Ｂは青色光を出射する。
【００２８】
ＬＥＤアレイ３は、複数のＬＥＤ（発光ダイオード）が同一平面内に配置されたものである。各ＬＥＤの出射光軸（主光線）は前記平面（ＬＥＤ配置平面）に対して直交しないように設定されている。この実施形態では、前記出射光軸は前記平面に対して４５°傾けられている。
【００２９】
ＬＥＤアレイ３Ｇの光出射側にはダイクロイックミラー４Ｇが近接して設けられている。ダイクロイックミラー４Ｇは、ＬＥＤアレイ３ＧにおけるＬＥＤ配置平面と平行に設けられる。ダイクロイックミラー４Ｇは緑色光を透過し他の色光は反射するように構成されている。ＬＥＤアレイ３Ｂの光出射側にはダイクロイックミラー４Ｂが近接して設けられている。ダイクロイックミラー４Ｂは、ＬＥＤアレイ３ＢにおけるＬＥＤ配置平面と平行に設けられる。ダイクロイックミラー４Ｂは青色光を透過し他の色光は反射するように構成されている（以下、個々のダイクロイックミラーを特定しないで示すときには、符号”４”を用いる）。
【００３０】
図１の構成において、ＬＥＤアレイ３Ｒ，３Ｇ，３Ｂは請求範囲に記載の斜め光軸固体発光素子アレイであり、ＬＥＤアレイ３Ｇとダイクロイックミラー４Ｇとの組合せ、及びＬＥＤアレイ３Ｂとダイクロイックミラー４Ｂの組合せは、請求範囲に記載の特定光源に相当する。なお、この特定光源において、前記斜め光軸固体発光素子アレイ３に代えて、出射光軸がダイクロイックミラー４に対して斜めとなる単一の固体発光素子を有することとしてもよい。後で説明する図２乃至図１１に示す他の構成例においても同様である。
【００３１】
ＬＥＤアレイ３ＲとＬＥＤアレイ３Ｂは、同一平面内に横並びで設けられている。一方、ＬＥＤアレイ３Ｇは、ＬＥＤアレイ３Ｒ及びＬＥＤアレイ３Ｂに対して平行に斜向かい配置されている。ＬＥＤアレイ３Ｇ及びＬＥＤアレイ３Ｂの発熱量はＬＥＤアレイ３Ｒに比べて大である。このように発熱量が大であるＬＥＤアレイ３Ｇ及びＬＥＤアレイ３Ｂは互いに離間して対向配置されるので、放熱が良好に行われることになり、温度上昇が抑えられる。
【００３２】
ＬＥＤアレイ３Ｒは、ダイクロイックミラー４Ｇに向けて赤色光を出射するように配置されている。ダイクロイックミラー４Ｇは、前記赤色光をダイクロイックミラー４Ｂに向けて反射するように配置されている。また、ＬＥＤアレイ３Ｇは、ダイクロイックミラー４Ｂに向けて緑色光を出射するように配置されている。ダイクロイックミラー４Ｂは前記赤色光及び緑色光を反射型映像表示パネル５に向けて反射するように配置されている。また、ＬＥＤアレイ３Ｂは、反射型映像表示パネル５に向けて青色光を出射するように配置されている。各色光の光路上には必要に応じてレンズ６（各ＬＥＤの出射光を平行光化するレンズアレイ）等が設けられる。なお、各ＬＥＤが平行光化レンズを備えていてもよい。また、ダイクロイックミラー４Ｂと反射型映像表示パネル５との間の光路上には、インテグレータレンズ７及び集光レンズ８が設けられている。
【００３３】
インテグレータレンズ７は一対のレンズ群（フライアイレンズ）にて構成されており、個々のレンズ対が入射光を反射型映像表示パネル（反射型ライトバルブ）５の全面へ導くようになっている。また、反射型映像表示パネル５としては、反射型液晶パネル、或いは、多数設けられた微小鏡を個別に駆動する構成のミラーデバイスなどを用いる。反射型映像表示パネル５にて変調された光（映像光）は、図示しない投写レンズによって拡大投写される。反射型液晶パネルを用いる場合、インテグレータレンズ７の光出射側に偏光変換装置を設けるのがよい。勿論、反射型映像表示パネルではなく、透過型の映像表示パネル（透過型ライトバルブ）を設けてもよい。
【００３４】
前記偏光変換装置は、偏光ビームスプリッタアレイ（以下、ＰＢＳアレイと称する）によって構成される。ＰＢＳアレイは、偏光分離膜と位相差板（１／２λ板）とを備える。ＰＢＳアレイの各偏光分離膜は、インテグレータレンズ１４からの光のうち例えばＰ偏光を通過させ、Ｓ偏光を９０°光路変更する。光路変更されたＳ偏光は隣接の偏光分離膜にて反射され、その前側（光出射側）に設けてある前記位相差板によってＰ偏光に変換されて出射される。一方、偏光分離膜を透過したＰ偏光は、そのまま出射される。すなわち、この場合には、ほぼ全ての光はＰ偏光に変換される。上記の例では、全ての光をＰ偏光に変換する構成に関して説明を行ったが、位相差板位置をＰ偏光出射位置に設けることで、全てＳ偏光に変換する構成にしてもよい。
【００３５】
次に、図２（ａ）に示す構成について説明していく。図２（ａ）に示す投写型映像表示装置は、照明装置２１を備える。照明装置２１は、ＬＥＤアレイ３Ｒ，３Ｇ，３Ｂ、ダイクロイックミラー４Ｇ，４Ｂ、四角柱形状のガラスから成るロッドインテグレータ１１Ａを備えて成る。ロッドインテグレータ１１Ａの対向する二側面の一方の面にＬＥＤアレイ３Ｒ，３Ｂを備え、他方の面にＬＥＤアレイ３Ｇを備える。ＬＥＤアレイ３Ｒ，３Ｇ，３Ｂ及びダイクロイックミラー４Ｇ，４Ｂの配置関係は、図１と同様であり、各色光はロッドインテグレータ１１Ａ内を通ることで重畳される。また、図２（ａ）の構成では、ロッドインテグレータ１１Ａの光出射面の側に透過型の液晶表示パネル１２を設けている。ロッドインテグレータ１１Ａの光出射面の縦横比は、液晶表示パネル１２の縦横比にほぼ一致させている。前記光出射面と液晶表示パネル１２との間に適宜レンズを備えておく。なお、ロッドインテグレータの側面に配置される斜め光軸固体発光素子アレイ３に代えて、出射光軸がロッドインテグレータの側面に対して斜めとなる単一の固体発光素子を有することとしてもよい。後で説明する図２（ｂ）及び図３（ａ）（ｂ）の構成例においても同様である。
【００３６】
図２（ｂ）に示す投写型映像表示装置は、照明装置２１′を備える。照明装置２１′は照明装置２１において、前記ＬＥＤアレイ３Ｒに対面させてもう一つＬＥＤアレイ３Ｒを配置し、前記ＬＥＤアレイ３Ｇに対面させてもう一つＬＥＤアレイ３Ｇ及びダイクロイックミラー４Ｇを配置し、前記ＬＥＤアレイ３Ｂに対面させてもう一つＬＥＤアレイ３Ｂ及びダイクロイックミラー４Ｂを配置したものである。すなわち、同じ二側面を利用して、ＬＥＤアレイ３Ｒ，３Ｇ，３Ｂ及びダイクロイックミラー４Ｇ，４Ｂから成るセットをもう一つ設けたものである。このような構成であれば、ロッドインテグレータの側面に多数のＬＥＤアレイを配置することができ、高輝度化が図れる。更には、他の二側面を利用し、もう一セット或いはもう二セット設けてもよい。この場合、ＬＥＤの出射光は広るので、光利用効率は低くなる可能性があるが、ＬＥＤアレイ個数は増えるので、輝度向上は期待できる。各ＬＥＤの出射光の広がりを考慮して、ＬＥＤアレイの配置間隔を広げてもよい。また、光出射端側に近い位置のダイクロイックミラーほど大きくすることとしてもよい。ＬＥＤアレイとダイクロイックミラーとの大きさは同じである必要はない。ＬＥＤアレイ３Ｒ，３Ｇ，３Ｂの配置順は全てのセットで同じである必要はない。この場合、赤色光を透過し他の色光は反射するダイクロイックミラー４Ｒ（図示せず）を必要に応じて設ければよい。また、同一セットではなくセットの一部を配置してもよい。
【００３７】
次に、図３（ａ）に示す構成について説明していく。図３（ａ）に示す投写型映像表示装置は、照明装置２２を備える。照明装置２２は、ＬＥＤアレイ３Ｙ，３Ｂ、ダイクロイックミラー４Ｂ、四角柱形状のガラスから成るロッドインテグレータ１１Ａを備えて成る。ＬＥＤアレイ３Ｙは、赤色光を出射するＬＥＤと緑色光を出射するＬＥＤを混在させたものである。各ＬＥＤの出射光軸はＬＥＤ配置面に直交していない。すなわち、ＬＥＤアレイ３Ｙは斜め光軸のＬＥＤアレイである。ロッドインテグレータ１１Ａの対向する二側面の一方の面にＬＥＤアレイ３Ｙを備え、他方の面において斜向かいにＬＥＤアレイ３Ｂを備える。ＬＥＤアレイ３Ｂの光出射側にダイクロイックミラー４Ｂが設けられる。ＬＥＤアレイ３Ｙからのイエロー光はロッドインテグレータ１１を通り、ダイクロイックミラー４Ｂにて反射される。ＬＥＤアレイ３Ｂから出射された青色光はダイクロイックミラー４Ｂを透過する。かかる構成においては、図２の構成に比べ、ロッドインテグレータ内での青色光及び緑色光の反射回数を増やすことができる。
【００３８】
図３（ｂ）に示す構成は、照明装置２２′を備える。照明装置２２′は照明装置２２において、前記ＬＥＤアレイ３Ｙに対面させてもう一つＬＥＤアレイ３Ｙを配置し、前記ＬＥＤアレイ３Ｂに対面させてもう一つＬＥＤアレイ３Ｂ及びダイクロイックミラー４Ｂを配置したものである。すなわち、同じ二側面を利用して、ＬＥＤアレイ３Ｙ，３Ｂ及びダイクロイックミラー４Ｂから成るセットをもう一つ設けたものである。このような構成であれば、ロッドインテグレータの側面に多数のＬＥＤアレイを配置することができ、高輝度化が図れる。更には、他の二側面を利用し、もう一セット或いはもう二セット設けてもよい。この場合、ＬＥＤの出射光は広がるので、光利用効率は低くなる可能性があるが、ＬＥＤアレイ個数は増えるので、輝度向上は期待できる。各ＬＥＤの出射光の広がりを考慮して、ＬＥＤアレイの配置間隔を広げてもよい。また、光出射端側に近い位置のダイクロイックミラーほど大きくすることとしてもよい。ＬＥＤアレイとダイクロイックミラーとの大きさは同じである必要はない。ＬＥＤアレイ３の配置順は全てのセットで同じである必要はない。ＬＥＤアレイ３Ｙ，３Ｂの組合せに限らず、例えば、青色ＬＥＤと緑色ＬＥＤを混在させてシアン光を出射するＬＥＤアレイを設けると共に、ＬＥＤアレイ３Ｒ及びダイクロイックミラー４Ｒを設ける組合せを採用できる。また、同一セットではなくセットの一部を配置してもよい。
【００３９】
次に、図４に示す構成について説明していく。図４に示す投写型映像表示装置は、照明装置２８を備える。照明装置２８は、ＬＥＤアレイ３′Ｇ、ＬＥＤアレイ３Ｒ，３Ｂ、ダイクロイックミラー４Ｒ，４Ｂ、四角柱形状のガラスから成るロッドインテグレータ１１Ａを備えて成る。ＬＥＤアレイ３′Ｇは、ＬＥＤアレイ３Ｇと異なる。ＬＥＤアレイ３′Ｇの出射光軸はＬＥＤ配置平面に直交している。すなわち垂直光軸ＬＥＤアレイである。ロッドインテグレータ１１Ａの対向する二側面の一方の面にＬＥＤアレイ３Ｒを備え、他方の面において斜向かいにＬＥＤアレイ３Ｂを備える。ＬＥＤアレイ３Ｒの光出射側にダイクロイックミラー４Ｒが設けられる。ＬＥＤアレイ３Ｂの光出射側にダイクロイックミラー４Ｂが設けられる。ＬＥＤアレイ３′Ｇはロッドインテグレータ１１Ａの光入射端面に設けられており、ＬＥＤアレイ３′Ｇの出射光は前記光入射端面から入射される。ＬＥＤアレイ３Ｒからの赤色光はロッドインテグレータ１１Ａを通り、ダイクロイックミラー４Ｂにて反射される。ＬＥＤアレイ３Ｂから出射された青色光はダイクロイックミラー４Ｂを透過する。図４の構成においても、図２（ｂ）や図３（ｂ）と同様に、側面配置のセットと同一のセット、色が異なる同等のセット、或いはセットの一部を既使用側面や他の二側面に配置できる。
【００４０】
次に、図５（ａ）（ｂ）に示す構成について説明していく。図５に示す投写型映像表示装置は、照明装置２３を備える。照明装置２３は、２個のＬＥＤアレイ３Ｒと、１個のＬＥＤアレイ３′Ｇと、２個のＬＥＤアレイ３Ｂと、２個のダイクロイックミラー４Ｒと、２個のダイクロイックミラー４Ｂと、四角柱形状のガラスから成るロッドインテグレータ１１Ｂとを備えて成る。ＬＥＤアレイ３′Ｇは、ＬＥＤアレイ３Ｇと異なる。ＬＥＤアレイ３′Ｇの出射光軸はＬＥＤ配置平面に直交している。すなわち垂直光軸ＬＥＤアレイである。ダイクロイックミラー４Ｒは赤色光を透過し他の色光は反射するものであり、ＬＥＤアレイ３ＲにおけるＬＥＤ配置平面と平行に設けられる。
【００４１】
前記ロッドインテグレータ１１Ｂの光出射面とは反対側に位置する光入射端面にＬＥＤアレイ３′Ｇが配置されている。ＬＥＤアレイ３Ｒ，３Ｂは、前記光入射端面の近傍の側面に設けられている。また、図５（ｂ）にも示すように、ＬＥＤアレイ３ＲとＬＥＤアレイ３Ｂは向かい合って配置される。そして、ＬＥＤアレイ３Ｒにおける出射光軸（主光線）は前記光出射面寄りに向けられ、且つ、出射された赤色光がダイクロイックミラー４Ｂに極力入射しないように光軸角度（主光線角度）が設定されている。ＬＥＤアレイ３Ｂにおける出射光軸（主光線）も前記光出射面寄りに向けられ、且つ、出射された青色光がダイクロイックミラー４Ｒに極力入射しないように光軸角度（主光線角度）が設定されている。
【００４２】
図５の構成であれば、ロッドインテグレータの側面からの入射光に加えて端面から入射させた光を利用できるので、高輝度化が図れる。
【００４３】
次に、図６（ａ）（ｂ）に示す構成について説明していく。前述した図５の構成では、ＬＥＤアレイ３Ｒ，３Ｂにおける出射光軸がロッドインテグレータ１１Ｂの光出射面寄りに向けられるのに対し、図６の構成では、ＬＥＤアレイ３Ｒ，３Ｂにおける出射光軸はロッドインテグレータ１１Ｃの光入射端面に向けられている。そして、前記ロッドインテグレータ１１Ｃの光入射端面とＬＥＤアレイ３′Ｇとの間にダイクロイックミラー４Ｇを備えている。
【００４４】
図６の構成であれば、前記光入射端面を利用した光の折り返しによって、ロッドインテグレータ１１Ｃ内での光の反射回数が増えることになり、その分、ロッドインテグレータ１１Ｃの全長を短くすることができる。よって、投写型映像表示装置の小型化に寄与できる。
【００４５】
図７は、ＬＥＤアレイ３Ｒが出射する赤色光とＬＥＤアレイ３Ｂが出射する青色光の光強度分布を示したグラフである。ダイクロイックミラーは任意に設定した波長値を境界に例えば上側の波長の光を反射させ下側の波長の光を透過するものとなる。前記境界付近に透過させられるべき色光と反射させられるべき色光が混在すると、光の利用効率が低下する。図６の構成では、赤色光がダイクロイックミラー４Ｂに入射し、青色光がダイクロイックミラー４Ｒに入射することになるが、前記のグラフから分かるように、赤色光と青色光は波長領域が極力離れた色光となる。従って、ダイクロイックミラー４Ｂによる赤色光の反射及びダイクロイックミラー４Ｒによる青色光の反射においてロスが少なくなり、光利用効率は向上する。すなわち、対向配置される二つのＬＥＤアレイ３は波長領域が極力離れた色光を出射するのがよい。
【００４６】
次に、図８（ａ）（ｂ）に示す構成について説明していく。図８に示す投写型映像表示装置は、照明装置２５を備える。照明装置２５は、１個のＬＥＤアレイ３Ｒと、１個のＬＥＤアレイ３Ｇと、１個のＬＥＤアレイ３Ｂと、１個のダイクロイックミラー４Ｒと、１個のダイクロイックミラー４Ｇと、１個のダイクロイックミラー４Ｂと、四角柱形状のガラスから成るロッドインテグレータ１１Ｄとを備えて成る。各ＬＥＤアレイ及び各ダイクロイックミラーは、ロッドインテグレータ１１Ｄの３つの側面を利用して配置されている。ロッドインテグレータ１１Ｄの光出射端面と反対側に位置する端面は反射面（各色光を反射するミラー面）となっている。ＬＥＤアレイ３Ｒ，３Ｇ，３Ｂは、前記ミラー面の近傍の側面に設けられている。また、図８（ｂ）にも示すように、ＬＥＤアレイ３ＲとＬＥＤアレイ３Ｂは向かい合う側面に配置され、ＬＥＤアレイ３Ｇは他の側面に配置される。
【００４７】
図８の構成であれば、端面からの光入射はできないものの、前記ミラー面を利用した光の折り返しによって、ロッドインテグレータ１１Ｄ内での光の反射回数が増えることになり、その分、ロッドインテグレータ１１Ｄの全長を短くすることができる。よって、投写型映像表示装置の小型化に寄与できる。また、図６の構成と同様に、対向配置される二つのＬＥＤアレイ３は波長領域が極力離れた色光を出射するようにしており、ダイクロイックミラーによる光の反射損失を抑えている。勿論、このような構成に限るものではなく、例えば、ＬＥＤアレイ３Ｒに替えてイエロー光を出射するＬＥＤアレイを用いることもできる。なお、図５の構成においても同様に、例えば、ＬＥＤアレイ３Ｒに替えてイエロー光を出射するＬＥＤアレイを用いることもできる。
【００４８】
図９に示す投写型映像表示装置の照明装置２５′は、図８の構成において、ミラー面を曲面とした構成である。かかる構成であれば、赤色光がダイクロイックミラー４Ｂに入射しにくくなるので、ダイクロイックミラー４Ｂによる赤色光の減衰（吸収）を極力抑えることができ、また、青色光がダイクロイックミラー４Ｒに入射しにくくなるので、ダイクロイックミラー４Ｒによる青色光の減衰（吸収）を極力抑えることができる。なお、曲面に限らず、前記ミラー面を非平坦面とすることで、前記曲面と同等の効果を得ることが可能である。ＬＥＤアレイ３における各ＬＥＤの出射光軸は互いに平行である必要はない。なお、図６に示した構成におても、ロッドインテグレータ１１の光入射端面を非平坦面とすることが可能である。
【００４９】
図１０に示す照明装置２６は、ＬＥＤアレイ３′Ｒと、ＬＥＤアレイ３Ｇと、ＬＥＤアレイ３Ｂと、ダイクロイックミラー４Ｇと、ダイクロイックミラー４Ｂとを備えて成る。ＬＥＤアレイ３′Ｒは、ＬＥＤアレイ３Ｒと異なる。ＬＥＤアレイ３′Ｒの出射光軸はＬＥＤ配置平面に直交している。すなわち、ＬＥＤアレイ３′Ｒは垂直光軸ＬＥＤアレイである。ＬＥＤアレイ３′Ｒの光出射側には、ＬＥＤアレイ３′Ｒの出射光軸に対して斜め４５°傾いてダイクロイックミラー４Ｇが設けられている。ダイクロイックミラー４Ｇと平行にＬＥＤアレイ３Ｇが設けられている。ＬＥＤアレイ３Ｇの出射光軸はダイクロイックミラー４Ｇに対して４５°傾いている。
【００５０】
ＬＥＤアレイ３′Ｒから出射された赤色光は、ダイクロイックミラー４Ｇにて光路を９０°変更される。ＬＥＤアレイ３Ｇから出射された緑色光はダイクロイックミラー４Ｇを透過し、ダイクロイックミラー４Ｇにて反射された赤色光と平行に進む。赤色光及び緑色光を受ける位置にダイクロイックミラー４Ｂが設けられており、このダイクロイックミラー４Ｂと平行にＬＥＤアレイ３Ｂが設けられている。ＬＥＤアレイ３Ｂの出射光軸はダイクロイックミラー４Ｂに対して４５°傾いている。
【００５１】
赤色光及び緑色光はダイクロイックミラー４Ｂにて光路を９０°変更される。ＬＥＤアレイ３Ｂから出射された青色光はダイクロイックミラー４Ｂを透過し、ダイクロイックミラー４Ｂにて反射された赤色光及び緑色光と平行に進む。これら青色光と赤色光と緑色光とを受ける位置には、インテグレータレンズ或いはロッドインテグレータを設けておくのがよい。
【００５２】
図１１に示す照明装置２７は、ＬＥＤアレイ３′Ｙと、ＬＥＤアレイ３Ｂと、ダイクロイックミラー４Ｂとを備えて成る。ＬＥＤアレイ３′Ｙは、ＬＥＤアレイ３Ｙと異なる。ＬＥＤアレイ３′Ｙの出射光軸はＬＥＤ配置平面に直交している。すなわち、ＬＥＤアレイ３′Ｙは垂直光軸ＬＥＤアレイである。ＬＥＤアレイ３′Ｙの光出射側には、ＬＥＤアレイ３′Ｙの出射光軸に対して斜め４５°傾いてダイクロイックミラー４Ｂが設けられている。ダイクロイックミラー４Ｂと平行にＬＥＤアレイ３Ｂが設けられている。ＬＥＤアレイ３Ｂの出射光軸はダイクロイックミラー４Ｂに対して４５°傾いている。
【００５３】
ＬＥＤアレイ３′Ｙから出射されたイエロー光は、ダイクロイックミラー４Ｂにて光路を９０°変更される。ＬＥＤアレイ３Ｂから出射された青色光はダイクロイックミラー４Ｂを透過し、ダイクロイックミラー４Ｂにて反射されたイエロー光と平行に進む。これら色光を受ける位置には、インテグレータレンズ或いはロッドインテグレータを設けておくのがよい。
【００５４】
前述した表示パネル５，１２は、ＲＧＢカラーフィルタを備えた構造、或いはＲＧＢカラーフィルタを備えない構造を有する。ＲＧＢカラーフィルタを備える構造の表示パネル５，１２を用いる場合には、前記ＬＥＤアレイ３を同時点灯して白色光を表示パネル５，１２に導く。前記ＲＧＢカラーフィルタを備えない構造の表示パネルを用いる場合には、ＬＥＤアレイ３Ｒ，３Ｇ，３Ｂ（３′Ｒ，３′Ｇ，３′Ｂ）を時分割で順次に所定時間点灯させると共に、この所定時間点灯のタイミングに同期させて表示パネル５，１２に各色の映像信号を供給する。なお、異なる色光を出射するＬＥＤを混在させたＬＥＤアレイ（例えば、ＬＥＤアレイ３Ｙ，３′Ｙ等）についても、各色のＬＥＤごとに点灯させることは可能である。
【００５５】
ＬＥＤアレイ３における各ＬＥＤが平行光化用のレンズ部を備えてもよい。ＬＥＤチップをアレイ状に配置し且つ各ＬＥＤチップの光出射側にレンズセル（例えば、平行光化用）をモールド等により配置して成るＬＥＤアレイを採用することができる。また、垂直光軸ＬＥＤアレイに替えて、単一のＬＥＤや不特定光軸ＬＥＤアレイを用いてもよい。不特定光軸ＬＥＤアレイは、複数のＬＥＤから成り出射光軸が不特定（垂直、非垂直が混在していてもよい）であるものである。また、ＬＥＤに限らず、有機又は無機のエレクトロルミネッセンスなどの他の発光素子を用いることができる。
【００５６】
偏光変換装置をロッドインテグレータの光出射側に設けてもよい。この場合の偏光変換装置はロッドインテグレータの光出射部の大きさに対応した単一のＰＢＳ（偏光ビームスプリッタ）と、このＰＢＳにおける偏光分離膜に平行に設けられたミラーと、前記ミラー又はＰＢＳの光出射側に設けた位相差板とを備えればよい。ただし、この場合には、偏光変換装置の光出射部の大きさはロッドインテグレータ３の光出射部の大きさの２倍になる。従って、偏光変換装置の光出射部の全体形状が液晶パネルの縦横比に略一致させるのが望ましい。この場合、液晶パネルの縦横比をＡ：Ｂとすると、ロッドインテグレータ３の光出射部の縦横比は例えばＡ：Ｂ／２となる。
【００５７】
ロッドインテグレータは、非中空であるガラスロッドインテグレータに限らない。内面がミラー面とされた中空のロッドインテグレータ（四角筒状のロッドインテグレータ）を用いてもよい。中空のロッドインテグレータを用いる場合、ＬＥＤアレイやダイクロイックミラーを配置する箇所はミラー面としない。また、非中空のロッドインテグレータを用いる場合も、ＬＥＤアレイやダイクロイックミラーを配置する箇所は出射光がロッド内に入りやすいようにしておく。
【図面の簡単な説明】
【００５８】
【図１】この発明の実施形態の投写型映像表示装置における照明装置を主に示した説明図である。
【図２】この発明の実施形態の投写型映像表示装置における照明装置を主に示した説明図であり、同図（ａ）はロッドインテグレータの対向する二側面を用いて一セットの光源を備えた構成を示し、同図（ｂ）はロッドインテグレータの対向する二側面を用いて二セットの光源を備えた構成を示している。
【図３】この発明の実施形態の投写型映像表示装置における照明装置を主に示した説明図であり、同図（ａ）はロッドインテグレータの対向する二側面を用いて一セットの光源を備えた構成を示し、同図（ｂ）はロッドインテグレータの対向する二側面を用いて二セットの光源を備えた構成を示している。
【図４】この発明の実施形態の投写型映像表示装置における照明装置を主に示した図である。
【図５】この発明の実施形態の投写型映像表示装置における照明装置を主に示した図であり、同図（ａ）は側面図、同図（ｂ）は正面図である。
【図６】この発明の実施形態の投写型映像表示装置における照明装置を主に示した図であり、同図（ａ）は側面図、同図（ｂ）は正面図である。
【図７】赤色光と青色光の光強度分布を示したグラフである。
【図８】この発明の実施形態の投写型映像表示装置における照明装置を主に示した図であり、同図（ａ）は側面図、同図（ｂ）は正面図である。
【図９】この発明の実施形態の投写型映像表示装置における照明装置を主に示した説明図である。
【図１０】この発明の実施形態の投写型映像表示装置における照明装置を示した説明図である。
【図１１】この発明の実施形態の投写型映像表示装置における照明装置を示した説明図である。
【符号の説明】
【００５９】
１    投写型映像表示装置
２      照明装置
２１    照明装置
２１′  照明装置
２２    照明装置
２２′  照明装置
２３    照明装置
２４    照明装置
２５    照明装置
２５′  照明装置
２６    照明装置
２７    照明装置
２８    照明装置
３      ＬＥＤアレイ（斜め光軸）
３′    ＬＥＤアレイ（垂直光軸）
４      クロスダイクロイックミラー
【図１】
2005283837.tif 000003
【図２】
2005283837.tif 000004
【図３】
2005283837.tif 000005
【図４】
2005283837.tif 000006
【図５】
2005283837.tif 000007
【図６】
2005283837.tif 000008
【図７】
2005283837.tif 000009
【図８】
2005283837.tif 000010
【図９】
2005283837.tif 000011
【図１０】
2005283837.tif 000012
【図１１】
2005283837.tif 000013
【手続補正書】
【提出日】平成17年6月23日(2005.6.23)
【手続補正１】
【補正対象書類名】明細書
【補正対象項目名】０００２
【補正方法】変更
【補正の内容】
【０００２】
液晶プロジェクタなどに用いられる照明装置としては、超高圧水銀ランプ、メタルハライドランプ、キセノンランプ等のランプと、その照射光を平行光化するパラボラリフレクタから成るものが一般的である。また、かかる照明装置においては、照射面の光量むらを軽減するために、一対のフライアイレンズによるインテグレート機能( 光学デバイスにより平面内にサンプリング形成された所定形状の複数照明領域を照明対象物上に重畳集光する機能をいう)を持たせたものがある。更に、近年においては、発光ダイオード（ＬＥＤ）を光源として用いることも試みられている（特許文献１，２参照）。また、赤色ＬＥＤからの赤色光、緑色ＬＥＤからの緑色光、及び青色ＬＥＤからの青色光を、クロスダイクロイックプリズムを用いてそれぞれ所望の方向に導く構成が提案されている（特許文献２参照）。
【特許文献１】特開平１０−１８６５０７号
【特許文献２】特開２００２−１８９２６３号